(57)【特許請求の範囲】
【請求項１】
移動体通信事業者の通信回線網を利用して携帯情報処理端末に通信サービスを提供する事業者と 前記移動体通信事業者とを仲介する仲介システムであって、
前記仲介システムは、前記サービスを提供する事業者システムから情報を取得し記録保持する手段と、携帯情報処理端末で用いられるアプリケーションプログラムを登録する手段とを備え、
前記仲介システムの制御部は、前記記録保持した前記サービスを提供する事業者から提供された各種情報を使用して、登録されたアプリケーションプログラムを、前記通信サービスを提供する事業者が提供するサービスに合致する形式に更新処理して記憶保持し、
前記事業者からサービスを受ける携帯情報処理端末によるアプリケーションプログラムのダウンロード要求に対して、該携帯情報処理端末に、前記更新処理したアプリケーションプログラムを提供可能とする
ことを特徴とする仲介システム。
【請求項２】
移動体通信事業者の通信インフラストラクチャーを介在して自らのサービスを提供する仮想移動体通信事業者システムが混在する通信システムで、前記移動体通信事業者の前記通信インフラストラクチャーを介在して 携帯情報処理端末とコンテンツアプリケーションレイヤレベルで通信する２次仮想移動体通信事業者システムと、前記移動体通信事業者の前記通信インフラストラクチャーを介在して 前記携帯情報処理端末と前記２次仮想移動体通信事業者システムとを通信可能とする１次仮想移動体通信事業者システムとを有する通信システムを構成する当該１次仮想移動体通信事業者システムであって、
前記１次仮想移動体通信事業者システムは、
更新元となるアプリケーションプログラムと、前記携帯情報処理端末に提供するアプリケーションプログラムとを格納すると共に、少なくとも２次仮想移動体通信事業者から提供されるサービスに関する各種情報を記憶するデータベースと、
前記更新元となるアプリケーションプログラムを前記各種情報に基づき前記サービスに合致する形式に更新処理して、前記携帯情報処理端末に提供するアプリケーションプログラムとして前記データベースに記録する制御部と、
を備え、
前記携帯情報処理端末から送信されるアプリケーションプログラムのダウンロード要求に対して、前記サービスに合致するように更新されたアプリケーションプログラムを提供可能とする
ことを特徴とする１次仮想移動体通信事業者システム。
【請求項３】
前記２次仮想移動体通信事業者から提供される各種情報には、少なくとも前記２次仮想移動体通信事業者が提供するサービスの利用者の加入者情報が含まれることを特徴とする請求項２記載の１次仮想移動体通信事業者システム。
【請求項４】
前記２次仮想移動体通信事業者から提供される各種情報には、少なくとも前記２次仮想移動体通信事業者の事業者属性情報が含まれることを特徴とする請求項２記載の１次仮想移動体通信事業者システム。
【請求項５】
前記１次仮想移動体通信事業者システムが提供する前記更新されたアプリケーションプログラムが、前記携帯情報処理端末の内部メモリの特定の領域に変更が生じた場合に、前記携帯情報処理端末の制御部を前記２次仮想移動体通信事業者システム又は前記１次仮想移動体通信事業者システムに変更内容を通知する様に機能させるアプリケーションプログラムであることを特徴とする前記請求項２ないし４記載のいずれか一記載の１次仮想移動体通信事業者システム。
【請求項６】
前記１次仮想移動体通信事業者システムが提供する前記更新されたアプリケーションプログラムが、前記携帯情報処理端末の前記内部メモリの電話帳の情報が変更された場合に、前記携帯情報処理端末の制御部を前記２次仮想移動体通信事業者システム又は前記１次仮想移動体通信事業者システムに変更内容を通知する様に機能させるアプリケーションプログラムであることを特徴とする前記請求項２ないし４記載のいずれか一記載の１次仮想移動体通信事業者システム。
【請求項７】
前記１次仮想移動体通信事業者システムが提供する前記更新されたアプリケーションプログラムが、前記携帯情報処理端末の制御部を、前記携帯情報処理端末の電子画面上に広告を表示可能に機能させるアプリケーションプログラムであることを特徴とする前記請求項２ないし４記載のいずれか一記載の１次仮想移動体通信事業者システム。
【請求項８】
前記１次仮想移動体通信事業者システムが提供する前記更新されたアプリケーションプログラムが、前記携帯情報処理端末の制御部を、広告を表示させる様に機能させると共に、広告が真正に表示されたかを認識し、認識結果を前記１次仮想移動体通信事業者システムに通知させる様に機能させるアプリケーションプログラムであることを特徴とする前記請求項２ないし４記載のいずれか一記載の１次仮想移動体通信事業者システム。
【請求項９】
請求項８記載の１次仮想移動体通信事業者システムであって、
前記１次仮想移動体通信事業者システムは、
前記携帯情報処理端末の制御部が通知する認識結果を用いて、広告の成果を判定し、予め定められた成果に対応して予め記憶されている動作を行うことを特徴とする１次仮想移動体通信事業者システム。
【請求項１０】
前記１次仮想移動体通信事業者システムは、
前記２次仮想移動体通信事業者システムが有するデータベースにアクセスし、記憶されている前記携帯情報処理端末の利用者の情報及び前記２次仮想移動体通信事業者の情報を取得し、
当該取得した情報を用いて、前記アプリケーションプログラムを更新し、更新したアプリケーションプログラムを前記携帯情報処理端末に提供可能とすることを特徴とする請求項２ないし９のいずれか一記載の１次仮想移動体通信事業者システム。
【請求項１１】
移動体通信事業者の通信回線網を利用して携帯情報処理端末に通信サービスを提供する事業者と 前記移動体通信事業者とを仲介するコンピュータシステムで行うアプリケーションプログラムの提供を仲介する仲介方法であって、
前記仲介するコンピュータシステムの制御部は、予め登録されたアプリケーションプログラムを記憶保持し、前記サービスを提供する事業者から提供された各種情報を参照して登録されている前記アプリケーションプログラムを 前記通信サービスを提供する事業者が提供するサービスに合致する形式に更新処理して記憶保持し、
前記事業者から通信サービスを受ける携帯情報処理端末によるアプリケーションプログラムのダウンロード要求に対して、該携帯情報処理端末に、前記更新処理したアプリケーションプログラムを送付処理し、
アプリケーションプログラムの提供を仲介することを特徴とする仲介方法。
【請求項１２】
移動体通信事業者の通信インフラストラクチャーを介在して自らの通信サービスを提供する仮想移動体通信事業者システムが混在する通信システムにおいて使用されるアプリケーション提供方法であって、
前記通信インフラストラクチャーを介在して 携帯情報処理端末とコンテンツアプリケーションレイヤレベルで通信する２次仮想移動体通信事業者システムと、前記携帯情報処理端末と前記２次仮想移動体通信事業者システムとを通信可能とする１次仮想移動体通信事業者システムとを利用し、
前記１次仮想移動体通信事業者システムの制御部に、
更新元となるアプリケーションプログラムと 前記携帯情報処理端末に提供するアプリケーションプログラムとを記憶保持させると共に、２次仮想移動体通信事業者から提供されるサービスに関する各種情報を記録させ、
前記更新元となるアプリケーションプログラムを前記各種情報に基づいた前記サービスに合致する形式に更新処理して、前記携帯情報処理端末に提供するアプリケーションプログラムとして記憶保持させ、
前記携帯情報処理端末から送信される前記アプリケーションプログラムのダウンロード要求に対して、前記サービスに合致するように更新したアプリケーションプログラムを送付処理することにより、
前記２次仮想移動体通信事業者システムのサービスに用いるアプリケーションプログラムを前記携帯情報処理端末に提供することを特徴とするアプリケーション提供方法。
【請求項１３】
移動体通信事業者の通信インフラストラクチャーを介在して 携帯情報処理端末とコンテンツアプリケーションレイヤレベルで通信する仮想移動体通信事業者システムと、前記携帯情報処理端末と前記仮想移動体通信事業者システムとを通信可能とする仲介仮想移動体通信事業者システムとが混在する、通信システムにおいて使用されるアプリケーション更新方法であって、
前記仲介仮想移動体通信事業者システムが、
前記携帯情報処理端末に提供するアプリケーションプログラムを格納する手段と、
仮想移動体通信事業者から提供されるサービスに関する各種情報を記憶する手段と、
前記アプリケーションプログラムを前記各種情報に基づいて前記仮想移動体通信事業者が行う前記携帯情報処理端末に提供するサービスに合致する形式に更新処理する手段と、
を有して、
仮想移動体通信事業者から提供されたサービスに関する各種情報を受け付け、
前記携帯情報処理端末から送信されるアプリケーションプログラムのダウンロード要求に対して送付するアプリケーションプログラムとして、仮想移動体通信事業者に合わせて更新処理する
ことを特徴とするアプリケーション更新方法。
【請求項１４】
前記仮想移動体通信事業者から提供される各種情報には、少なくとも前記仮想移動体通信事業者の事業者属性情報が含まれ、当該事業者属性情報を用いて前記アプリケーションプログラムを更新することを特徴とする請求項１３記載のアプリケーション更新方法。
【請求項１５】
前記仮想移動体通信事業者から提供される各種情報には、少なくとも前記仮想移動体通信事業者が提供するサービスの利用者の加入者情報が含まれ、当該加入者情報を用いて前記アプリケーションプログラムを更新することを特徴とする請求項１３記載のアプリケーション更新方法。
【請求項１６】
移動体通信事業者の通信回線網を利用して携帯情報処理端末に通信サービスを提供する事業者と前記移動体通信事業者とを仲介するコンピュータシステムを動作させるプログラムであって、
前記仲介するコンピュータシステムの制御部を、
記録された前記サービスを提供する事業者から提供される各種情報を取得する手段と、
携帯情報処理端末で用いられるアプリケーションプログラムを、前記各種情報に基づき、前記通信サービスを提供する事業者が提供するサービスに合致する形式に、更新処理する手段と、
前記事業者からサービスを受ける携帯情報処理端末によるアプリケーションプログラムのダウンロード要求に対して、該携帯情報処理端末に、前記更新処理したアプリケーションプログラムを提供可能とする手段、
として動作させることを特徴とするプログラム。
【請求項１７】
移動体通信事業者の通信インフラストラクチャーを介在して携帯情報処理端末とコンテンツアプリケーションレイヤレベルで通信する仮想移動体通信事業者システムと、前記携帯情報処理端末と前記仮想移動体通信事業者システムとを通信可能とする仲介仮想移動体通信事業者システムとが混在する通信システムで用いられる、前記仲介仮想移動体通信事業者システムに登録されたアプリケーションプログラムを前記携帯情報処理端末に提供するアプリケーション提供プログラムであって、
前記仲介仮想移動体通信事業者システムを構築するサーバの制御部を、
前記仮想移動体通信事業者から提供されたサービスに関する各種情報を取得する手段と、
前記登録された更新元となるアプリケーションプログラムを前記各種情報に基づいて前記サービスに合致する形式に更新する指示を行う手段と、
前記携帯情報処理端末から送信される前記アプリケーションプログラムのダウンロード要求に対して、該当アプリケーションプログラムを提供可能に管理する手段
として動作させることを特徴とするアプリケーション提供プログラム。
【請求項１８】
移動体通信事業者の通信インフラストラクチャーを介在して携帯情報処理端末とコンテンツアプリケーションレイヤレベルで通信する仮想移動体通信事業者システムと、前記携帯情報処理端末と前記仮想移動体通信事業者システムとを通信可能とする仲介仮想移動体通信事業者システムとが混在する通信システムで用いられる、前記仲介仮想移動体通信事業者システムに登録される前記携帯情報処理端末に提供するアプリケーションプログラムを更新するアプリケーション更新用プログラムであって、
前記仲介仮想移動体通信事業者システムを構築するサーバの制御部を、
前記仮想移動体通信事業者から提供されたサービスに関する各種情報を取得する手段と、
前記取得した各種情報を参照して、登録されている更新元となるアプリケーションプログラムを前記仮想移動体通信事業者の提供するサービスに合致する形式に更新処理して、前記携帯情報処理端末に提供するアプリケーションプログラムとして管理する手段
として動作させることを特徴とするアプリケーション更新用プログラム。
【請求項１９】
前記取得する各種情報に少なくとも前記仮想移動体通信事業者が提供するサービスの利用者の加入者情報を含み、当該加入者情報を用いて前記アプリケーションプログラムを更新することを特徴とする請求項１８記載のアプリケーション更新用プログラム。
【請求項２０】
前記取得する各種情報に少なくとも前記仮想移動体通信事業者の事業者属性情報を含み、当該事業者属性情報を用いて前記アプリケーションプログラムを更新することを特徴とする請求項１８記載のアプリケーション更新用プログラム。
【発明の詳細な説明】
【技術分野】
【０００１】
本発明は、携帯情報処理端末と移動体事業者システムとの間に介在し、通信サービス及びソフトウェア提供サービス等の提供を行うシステムに関する。
【０００２】
詳しくは、アプリケーションプログラム及び情報を携帯情報処理端末に提供するシステム、並びにその方法に関する。
【背景技術】
【０００３】
昨今、移動体通信事業者の垂直統合型サービスの方法が問題視されている。同じく、携帯情報処理端末の適応事業者以外の事業者への接続を阻む、他事業者排除技術及び方法の在り方についても問題視されている。
【０００４】
具体的には、現状の垂直統合型サービスが、移動体通信事業者の通信インフラストラクチャーを借受け移動体サービスの提供を行う仮想移動体通信事業者（ＭＶＮＯ：Mobile Virtual Network Operator）の設立を阻害している。  同じく、他事業者排除技術及び方法の一つであるＳＩＭ（Subscriber Identity Module card）ロックは、利用者が他事業者の移動体サービスに乗り代えることを阻害している（非特許文献１参照）。
【０００５】
前述の様に移動体通信事業者が垂直統合型サービスを提供している現状では、新たな仮想移動体通信事業者の設立が困難である。その大きな要因としては、第一種通信事業者である移動体通信事業者との交渉や、大規模事業展開を行う必要性、携帯情報処理端末の確保の困難性など、現在の社会システムにある。即ち、上記阻害要因を勘案し、仮想移動体通信事業者の設立並びに参入を容易にすることが望まれる。
【０００６】
上記課題の対策の一つとして、仮想移動体通信事業者の設立や参入を補助する通信サービス事業者として、ＭＶＮＥ（Mobile Virtual Network Enabler）の登場も期待されている。しかし、未だなされていない。
【０００７】
前述の仮想移動体通信事業者の設立並びに参入が容易でないことは、特許文献１にも記載されている。特許文献１には、現状の社会システムでは困難である仮想移動体通信事業の様な自由度のあるサービスを提供する為、海外のサーバを利用し、あたかも仮想移動体通信事業を受けているかのごとく振舞うことが可能である通信システムが記載されている。
【０００８】
【非特許文献１】総務省総合通信基盤局「モバイルビジネスの現状と課題」モバイルビジネス研究会第1回（平成１９年１月２２日）議事要旨
【特許文献１】特開２００５−４５３２４号公報
【発明の開示】
【発明が解決しようとする課題】
【０００９】
前述したように仮想移動体通信事業者の設立並びに参入の阻害要因には、移動体通信事業者との交渉が難しいこと、大規模なシステム構築が必要なこと、などが挙げられる。
【００１０】
本発明の目的は、上記課題を解決し、仮想移動体通信事業者と移動体通信事業者とを仲介し、仮想移動体通信事業者の設立並びに参入を容易にすると共に、更に携帯情報処理端末の利用者にも有益な仲介システム、仲介方法、およびプログラム等を提供することにある。
【課題を解決するための手段】
【００１１】
本発明に係る仲介システムは、移動体通信事業者の通信回線網を利用して携帯情報処理端末に通信サービスを提供する事業者と 前記移動体通信事業者とを仲介する仲介システムであって、前記仲介システムは、前記サービスを提供する事業者システムから情報を取得し記録保持する手段と、携帯情報処理端末で用いられるアプリケーションプログラムを登録する手段とを備え、前記仲介システムの制御部は、前記記録保持した前記サービスを提供する事業者から提供された各種情報を使用して、登録されたアプリケーションプログラムを、前記通信サービスを提供する事業者が提供するサービスに合致する形式に更新処理して記憶保持し、前記事業者からサービスを受ける携帯情報処理端末によるアプリケーションプログラムのダウンロード要求に対して、該携帯情報処理端末に、前記更新処理したアプリケーションプログラムを提供可能とすることを特徴とする。
【００１２】
本発明に係るアプリケーションプログラムの提供を仲介する仲介方法は、移動体通信事業者の通信回線網を利用して携帯情報処理端末に通信サービスを提供する事業者と 前記移動体通信事業者とを仲介するコンピュータシステムで行うアプリケーションプログラムの提供を仲介する仲介方法であって、前記仲介するコンピュータシステムの制御部は、予め登録されたアプリケーションプログラムを記憶保持し、前記サービスを提供する事業者から提供された各種情報を参照して登録されている前記アプリケーションプログラムを 前記通信サービスを提供する事業者が提供するサービスに合致する形式に更新処理して記憶保持し、前記事業者から通信サービスを受ける携帯情報処理端末によるアプリケーションプログラムのダウンロード要求に対して、該携帯情報処理端末に、前記更新処理したアプリケーションプログラムを送付処理し、アプリケーションプログラムの提供を仲介することを特徴とする。
【００１３】
本発明に係るプログラムは、移動体通信事業者の通信回線網を利用して携帯情報処理端末に通信サービスを提供する事業者と前記移動体通信事業者とを仲介するコンピュータシステムを動作させるプログラムであって、前記仲介するコンピュータシステムの制御部を、記録された前記サービスを提供する事業者から提供される各種情報を取得する手段と、携帯情報処理端末で用いられるアプリケーションプログラムを、前記各種情報に基づき、前記通信サービスを提供する事業者が提供するサービスに合致する形式に、更新処理する手段と、前記事業者からサービスを受ける携帯情報処理端末によるアプリケーションプログラムのダウンロード要求に対して、該携帯情報処理端末に、前記更新処理したアプリケーションプログラムを提供可能とする手段、として動作させることを特徴とするプログラム。
【発明の効果】
【００１４】
本発明によれば、仮想移動体通信事業者（２次）を仲介する仮想移動体通信事業者（１次）が、携帯情報処理端末を利用する顧客を相手に仮想移動体通信事業を営むサービスに適応したアプリケーションプログラムを提供可能とすることで、サービスを提供する仮想移動体通信事業者（２次）が大規模な設備を有さずとも、様々なサービスの提供を可能とできる仲介システム（仮想移動体通信事業者システム）、仲介方法、およびプログラム等を提供できる。
【発明を実施するための最良の形態】
【００１５】
本発明の実施の形態を、実施例を用いて説明する。また、実施例は図１ないし図６に基づいて説明する。
【００１６】
本実施例では、携帯情報処理端末として、携帯電話を用いて説明する。本例の携帯電話は、所謂スマートフォンであって、通話機能以外にも様々なアプリケーションプログラムが動作することとして説明する。ここで、アプリケーションプログラムとは、ＪＡＶＡ（登録商標）やＣ言語などのプログラム言語で記述されたプログラムだけでなく、当該アプリケーションプログラムを機能させる為の画像データや音声データ、使用者が入力したデータ、設定ファイルなどの各種情報も含むこととする。アプリケーションプログラムを例示して挙げれば、ブラウザー、メーラーを始め、認証ソフト、暗号化ソフト、動画再生ソフト、音楽再生ソフト、計算ソフト、ゲームソフトなどである。また、必要に応じて携帯電話のカメラやＧＰＳ（Global Positioning System）、テレビチューナなどのハードウェアを動作させるドライバ（ファームウェア）も含むこととし、携帯電話の利便性を高める付加的なソフトウェア全体を指すこととする。
【００１７】
本実施例では、移動体通信事業者を第二種指定電気通信設備に指定された設備を有する卸電気通信事業を行っている事業者として説明する。尚、第二種指定電気通信設備の指定に特に拘ることはなく、卸電気通信事業を行っていればそれで良い。
【００１８】
本実施例で用いるレイヤーの区分は、大きく３つのレイヤー（コンテンツアプリケーションレイヤー、通信サービスレイヤー、端末レイヤー、）に分け、その意味は次の様に使用する。
【００１９】
端末レイヤーとは、携帯情報処理端末その物の仕様や動作、その他携帯情報処理端末に由来する決め事全般に沿って、携帯情報処理端末が動作するレイヤーを指す。
【００２０】
通信サービスレイヤーとは、電気通信事業者が行う通信サービスに伴う通信設備、通信方式、経路、その他、卸電気通信事業に由来する決め事全般に沿って、通信が行なわれるレイヤーを指す。
【００２１】
コンテンツアプリケーションレイヤーとは、通信サービスレイヤーの上位レイヤーであって、アプリケーションの仕様やユーザインタフェースの仕様に沿って、通信や動作などを行なうレイヤーを指す。
【００２２】
尚、本実施例で用いるレイヤーの区分は、総務省総合通信基盤局が開示する資料に順ずることとすれば、コンテンツアプリケーションレイヤー、端末レイヤーはそのままであって、プラットフォームレイヤーと通信サービスレイヤーと物理網レイヤーとを一つのレイヤー（通信サービスレイヤー）として説明する。正し、将来的には用語や区分の境界が変更される可能性があり、その場合には前述した本実施例での用語の使用法を優先する。
【００２３】
図１は、実施例を用いて説明する通信サービスを概略的な構成で示すブロック図である。図１の通信サービスは、卸電気通信事業を行う移動体通信事業者システム１０と、卸電気通信事業を受ける１次仮想移動体通信事業者システム１００と、１次仮想移動体通信事業者から卸電気通信事業を受ける２次仮想移動体通信事業者システム２００と、２次仮想移動体通信事業者と契約しサービスを享受する使用者が使用する携帯電話４００によって成立っている。ここで、１次と２次とは形式的に通信事業者側を１次とし、終端端末側を２次とするのみで、他意は無い。
【００２４】
移動体通信事業者システム１０は、通信インフラストラクチャー（移動体ネットワークリソース）及びその管理システムである。
【００２５】
移動体通信事業者システム１０は、移動体ネットワークリソースを分割し帯域分けし、１次仮想移動体通信事業者に貸し出す。移動体通信事業者システム１０は、１次仮想移動体通信事業者システム１００と通信可能であり、必要に応じて他のネットワークリソースとの接続を行う。同じく、移動体通信事業者システム１０は、１次仮想移動体通信事業者システム１００の要求に応じ、他のネットワークリソースとの接続や通信の制御を行う。
【００２６】
１次仮想移動体通信事業者システム１００は、移動体通信事業者システム１０を利用し、２次仮想移動体通信事業者が営む様々なサービスを提供可能とする。
【００２７】
詳しくは、移動体通信事業者システム１０の移動体ネットワークリソースを借受け、２次仮想移動体通信事業者に移動体ネットワークリソースを貸し出すことで、２次仮想移動体通信事業者システム２００と携帯電話４００とを通信可能とすることができる。
【００２８】
１次仮想移動体通信事業者システム１００には、１次仮想移動体通信事業者システム１００の全体の制御を行うシステムサーバ１１０と、携帯情報処理端末用アプリケーションプログラムが多数管理されるソフトウェア管理サーバ１２０、各種データベース等が設けられている。システムサーバ１１０やソフトウェア管理サーバ１２０は、制御部、ＲＯＭ、ＲＡＭ、記憶部、補助記憶装置等を備えており、各種オペレーティングシステム及び各種ソフトウェアプログラムに従い動作している。詳細については図３を用いて説明する。
【００２９】
２次仮想移動体通信事業者システム２００は、２次仮想移動体通信事業者が使用するシステムである。２次仮想移動体通信事業者は、１次仮想移動体通信事業者から移動体ネットワークリソースを借受け、通信事業を営む。
【００３０】
本実施例では、２次仮想移動体通信事業者は、特定の地域をサービス提供エリアとしたり、特定の趣味を有する人にサービス提供したりする事業者である。
【００３１】
２次仮想移動体事業者が提供しているサービスには、一般の通話やメール以外に、例えば公共機関による地域向けのメッセージ配信サービスや、同好会に登録しているメンバーのみが利用できる掲示板サービス等がある。
【００３２】
２次仮想移動体通信事業者システム２００は、２次仮想移動体通信事業者が通信事業を行う上で必要な設備等であり、顧客を管理するサーバやデータベースＷｅｂサーバ等を有する。
【００３３】
携帯端末４００は、制御部、記憶メモリ、表示画面等を備え、通信機能以外にもダウンロードしたアプリケーションプログラムを実行可能とするソフトウェアプラットフォームを実装している。また、カメラモジュール、ＧＰＳ、テレビチューナも有する。
【００３４】
携帯端末４００の通信機能は、移動体通信事業者１０の通信インフラストラクチャーと接続可能であり、通信方式は特に限定しない。例示すれば、Ｗ−ＣＤＭＡ、ｃｄｍａ２０００、ＨＳＤＰＡ、ＰＤＣ、ＰＨＳ方式等が挙げられる。
【００３５】
尚、図１及び以下の説明において、携帯電話４００は２次仮想移動体通信事業者システム２００と直接通信を行なう様に記載している。実際の通信は図２に示す様に携帯電話４００と移動体通信事業者１０の設備とが通信を行うことは詳述するまでもない。尚、図２中に通信経路として記載した例は、携帯電話４００が２次仮想移動体通信事業者システム２００にアクセスする経路を示したものである。２次仮想移動体通信事業者２００から携帯電話４００にアクセスする経路は、図に示した経路の逆であるか、又は１次仮想移動体通信事業者システム１００を介さずに直接移動体通信事業者システム１０を介して携帯電話にアクセスすればそれで良い。通信の流れを情報伝達を受ける側から示す為に下位層の動作については省略して記載する。
【００３６】
図３は、１次仮想移動体通信事業者システム１００を概略的に示したブロック図である。
【００３７】
１次仮想移動体通信事業者システム１００は、システムサーバ１１０と、ソフトウェア管理サーバ１２０と、情報データベース３１０と、ソフトウェア管理データベース３５０とを含むサーバ群で構成され、各種サーバはネットワークで接続されている。
【００３８】
１次仮想移動体通信事業者システム１００のシステムサーバ１１０は、１次仮想移動体通信事業者システム１００が取扱うサービス全般を取仕切る役割を果たすサーバであって、移動体通信事業者システム１０や２次仮想移動体通信事業者システム２００と通信し合い、様々な情報の交換及び制御を行う。また、１次仮想移動体通信事業者システム１００のゲートウェイの制御等も行う。
【００３９】
また、システムサーバ１１０は、２次仮想移動体通信事業者システム２００から登録される加入者情報および仮想移動体通信事業者の属性情報を、情報データベース３１０に格納する。ここで、仮想移動体通信事業者の属性情報とは、例えば、サービスの提供エリアや提供するサービスの内容、通信速度、加入者数などである。
【００４０】
ソフトウェア管理サーバ１２０は、様々な携帯電話４００に提供されるアプリケーションプログラム及び、２次仮想移動体通信事業者システム２００に適合した、アプリケーションプログラムをソフトウェア管理データベース３５０に登録し、管理する。また、属性情報を用いてアプリケーションプログラムを更新する機能も有する。
【００４１】
情報データベース３１０には、加入者情報、属性情報など、様々な情報が記録される。情報データベース３１０に記録される各種情報は、システムサーバ１１０を始め、ソフトウェア管理サーバ１２０等の制御に用いられる他、アプリケーションプログラムの更新に用いられる。
【００４２】
ソフトウェア管理データベース３５０には、携帯電話４００に提供されるアプリケーションプログラムが多数格納される。また、属性情報を使用し更新されたアプリケーションプログラムも格納される。
【００４３】
情報処理端末９００は、アプリケーションプログラムを、当該システムに登録する為の端末であって、所謂パソコンである。本実施例では、当該情報処理端末９００を用いてアプリケーションプログラムを登録することとするが、ネットワークを介して、アプリケーションプログラムを登録しても良い。
【００４４】
図４は、情報データベース３１０を模式的に示したブロック図である。
【００４５】
情報データベース３１０には、属性情報や提供するサービス情報などを記録する事業者情報領域３１１と、加入者情報などが記録する個人情報領域３１２と、様々なサービスの提供を可能とする為、様々な情報を格納するサービス提供用領域３１３とが設けられている。
【００４６】
このような構成において、本発明の実施例である通信サービスを実現可能とし、１次仮想移動体通信事業者システム１００が、携帯電話４００に対して、２次仮想移動体通信事業者の提供するサービスに適合したアプリケーションプログラムの提供を可能とする。
【００４７】
次に通信サービス全体の動作を説明する。
【００４８】
図５は、通信サービス全体の動作を示すフローチャートである。
【００４９】
サービスを受ける受益者は、携帯電話４００から、住所、氏名、電話番号などの個人情報に加え、趣味やサービスの内容を含む加入者情報を入力する。携帯電話４００は、移動体通信事業者の通信設備を介し、２次仮想移動体通信事業者システム２００に加入者情報を送信する。尚、携帯電話４００を使わずに、２次仮想移動体通信事業者システム２００に直接登録しても良い（ステップＳ５０１）。
【００５０】
２次仮想移動体通信事業者システム２００は、携帯電話端末４００から受信したサービス受益者の加入者情報に加え、２次仮想移動体通信事業者の属性を示す属性情報（サービス地域やサービス内容、供給情報など）をデータベースに記録する(ステップＳ５０２)。
【００５１】
２次仮想移動体通信事業者システム２００は、データベースに記録した加入者情報及び属性情報など各種情報を１次仮想移動体通信事業者システム１００に送信する(ステップＳ５０３)。
【００５２】
１次仮想移動体通信事業者システム１００のシステムサーバ１１０は、受信した各種情報を情報データベース３１０に登録する(ステップＳ５０４)。
【００５３】
１次仮想移動体通信事業者システム１００のソフトウェア管理サーバ１２０は、情報データベース３１０に登録された各種情報を用いて、ソフトウェア管理データベース３５０に格納されているアプリケーションプログラムを更新する。ここで、更新とは、２次仮想移動体通信事業者が行うサービスごとに合致した内容に変更、改編、追加、削除、制限、拡張などを行うことを指す。更新及び、アプリケーションプログラムの登録は、図６を用いて後述する（ステップＳ５０５）。
【００５４】
サービスを受ける受益者は、携帯電話４００から、当該サービスに関わるアプリケーションプログラムのダウンロードの要求を送信する(ステップＳ５０６)。
【００５５】
２次仮想移動体通信事業者システム２００は、携帯電話４００からのダウンロード要求を１次仮想移動体通信事業者システム１００に転送する(ステップＳ５０７)。
【００５６】
１次仮想移動体通信事業者システム１００のシステムサーバ１１０は、携帯電話４００から発せられたダウンロード要求を受信し、当該ダウンロード要求に対して、ソフトウェア管理データベース３５０にアクセスし、格納されているアプリケーションプログラムの中から要求されたアプリケーションプログラムを選択し送信する（ステップＳ５０８）。
【００５７】
携帯電話４００は、アプリケーションプログラムを受信し、必要に応じて、展開、解凍、インストール等の動作を行い、アプリケーションプログラムを動作可能とする（ステップＳ５０９）。
【００５８】
サービスを受ける受益者は、携帯電話４００にダウンロードされたアプリケーションプログラムを利用し、２次仮想移動体通信事業者が提供するサービスを受ける（ステップＳ５１０）。
【００５９】
図６は、アプリケーションプログラムの登録及び更新を示したフローチャートである。
【００６０】
ソフトウェア管理サーバ１２０は、情報処理端末９００から、アプリケーションプログラムの登録を受ける。登録されたアプリケーションプログラムは、登録者やプログラムの内容、各種属性などの情報と共にソフトウェア管理データベース３５０に格納される（ステップＳ６０１）。
【００６１】
ソフトウェア管理サーバ１２０の制御部１２１は、情報データベース３１０から、仮想移動体通信事業者の属性情報や加入者情報等の各種情報を取得する（ステップＳ６０２）。
【００６２】
ソフトウェア管理サーバ１２０の制御部１２１は、各種情報を用いて、２次仮想移動体通信事業者の望む形式に、登録されているアプリケーションプログラムを更新する（ステップＳ６０３）。
【００６３】
ソフトウェア管理サーバ１２０の制御部１２１は、更新したアプリケーションプログラムをソフトウェア管理データベース３５０に記録する（ステップＳ６０４）。
【００６４】
上記更新とは、属性情報や加入者情報等の各種情報に含まれるサービス地域やサービス内容などごとに、アプリケーションプログラムを改編や編集、情報の追加、削除などを行うことである。ここで、複数の例を挙げ、ソフトウェア管理サーバ１２０が行うアプリケーションプログラムの更新を詳説する。尚、属性情報や加入者情報等のメモリテーブルを作成し、そのメモリテーブルに記載された情報に対して、予め決められた順序で更新する様にしても良いし、メモリテーブルを使用せずに、直接更新しても良い。
【００６５】
更新の例としては、２次仮想移動体通信事業者が、サービス地域に密着したサービスを提供する為、アプリケーションの起動時に、地域のシンボルマークを表示することとすれば、起動時に表示する画像データを、デフォルトの画像データから地域のシンボルマークの画像データに変更することを更新とする。
【００６６】
別の例としては、２次仮想移動体通信事業者が、特定Ｗｅｂサイトを利用したサービスを提供するとすれば、ブラウザーのフィルタ機能を用いて特定Ｗｅｂサイト以外にアクセスできない様にフィルタリングデータを記入することを更新とする。
【００６７】
更に別の例としては、２次仮想移動体通信事業者が、特定の電話番号のみ電話可能とするサービスを提供するとすれば、携帯電話のダイヤル機能を制御するアプリケーションプログラムを用いて、特定の電話番号のみに電話できる様に変更することを更新とする。
【００６８】
更に別の例としては、２次仮想移動体通信事業者が、ＧＰＳ機能を用いて付加位置情報サービスを提供するとすれば、携帯電話のＧＰＳを制御し、サービスに登録されている周辺の情報を示すＷｅｂページに自動的にアクセスするアプリケーションプログラムを用いて、登録されている周辺の情報のアドレスを付加することを更新とする。
【００６９】
即ち、本実施例での更新とは、２次仮想移動体通信事業者が行うサービスに合わせアプリケーションプログラムをカスタマイズすることを更新とする。
【００７０】
以上説明したように、本発明の実施例では、１次仮想移動体通信事業者システム１００が、２次仮想移動体通信事業者のサービスに適合するようにアプリケーションプログラムを更新し、携帯電話４００に更新されたアプリケーションプログラムを提供することで、２次仮想移動体通信事業者が提供するサービスに適合したアプリケーションプログラムを１次仮想移動体通信事業者システム１００が代理（仲介）で提供可能となり、２次仮想移動体通信事業者が大規模な設備を有さずとも様々なサービスの提供を可能とできる。換言すると、仮想移動体通信事業者（２次）が容易に事業を運営することができる。
【００７１】
更に、携帯電話４００の使用者は、２次仮想移動体通信事業者のサービス提供に自由度が増す為、所望のサービスを享受できる。
【００７２】
次に、本発明を適応した例を挙げ、実施例を説明する。
【００７３】
第１の適応例は、実施例に、２次仮想移動体通信事業者の提供するサービスに、付加的に携帯電話の内部メモリ等のバックアップを行い、セキュアなサービスを提供することとした例である。
【００７４】
条件として、２次仮想移動体通信事業者は、予め携帯電話４００内部メモリのバックアップをデータベースに取得し、携帯電話４００の紛失等、情報流出の恐れがある場合等に、通信ネットワークを通じデータを消去可能とするサービスを提供する。当該サービスを提供する為、２次仮想移動体通信事業者は、１次仮想移動体通信事業者にサービスの提供を依頼し、１次仮想移動体通信事業者が当該サービスに必要なアプリケーションプログラムを準備することとする。本適応例では、オンデマンドプログラムとデータ消去プログラムとを使用し、サービスを提供することとする。
【００７５】
ここで、オンデマンドプログラムとは、サービスの受益者に提供される当該アプリケーションプログラムによって、オンデマンドモードの有効／無効の設定が可能となる機能を備えたアプリケーションプログラムである。オンデマンドモードとは、携帯情報処理端末の内部メモリが更新された場合に、即座にオンラインデータベースに登録し、データのバックアップを行うモードである。
【００７６】
データ消去プログラムとは、サービスの受益者に提供される当該アプリケーションプログラムによって、ネットワークを通じ全部もしくは一部のデータを消去可能とする機能を備えたアプリケーションプログラムである。
【００７７】
サービスの適応例の説明は、図５中のステップＳ５１０に該当する説明であり、ステップＳ５０９を含む内容を図７に示し説明する。
【００７８】
図７は、第１の適応例の動作を示すフローチャートである。
【００７９】
１次仮想移動体通信事業者は、１次仮想移動体通信事業者システム１００のソフトウェアサーバ１２０にアプリケーションプログラムを登録する（図６ステップＳ６０１参照）。登録されたアプリケーションプログラムは、ソフトウェア管理サーバ１２０によって、２次仮想移動体通信事業者から提供される様々な属性情報からサービスに適応したアプリケーションプログラムに更新される（図６ステップＳ６０３参照）。
【００８０】
２次仮想移動体通信事業者と契約しサービスを受ける受益者は、携帯電話４００を使用し、２次仮想移動体通信事業者を介し、１次仮想移動体通信事業者システム１００のソフトウェア管理サーバ１２０から、オンデマンドモードプログラム及びデータ消去プログラムをダウンロードする（ステップＳ７０１）。
【００８１】
受益者が、携帯電話４００の電話帳や個人データを記憶する個人データ領域の更新を行った場合、または、通話やメールなどの履歴に変更が生じた場合に、携帯電話４００は携帯電話内部のメモリに記録されている情報を更新する（ステップＳ７０２）。
【００８２】
携帯電話４００は、オンデマンドモードが有効の場合には、オンデマンドプログラムに従い、２次仮想移動体通信事業者システム２００に更新された各種情報（通話履歴や電話帳の更新情報等）を送信する（ステップＳ７０３）。
【００８３】
オンデマンドモードが無効の場合には、携帯電話４００は、オンデマンドプログラムに従い、特定の日時に日次処理（バッチ処理）を行い、２次仮想移動体通信事業者システム２００に日次処理された各種情報を送信する（ステップＳ７０４）。
【００８４】
２次仮想移動体通信事業者システム２００は、受信した各種情報をシステム内の加入者情報が記録されているデータベースに記憶する（ステップＳ７０５）。
【００８５】
２次仮想移動体通信事業者システム２００は、記憶した各種情報を１次仮想移動体通信事業者システム１００に送信する(ステップＳ７０６)。
【００８６】
１次仮想移動体通信事業者システム１００のシステムサーバ１１０は、受信した各種情報を、情報データベース３１０のサービス提供用領域３１３に記録する（ステップ７０７）。
【００８７】
以上説明したように、本発明の適応例では、電話帳や発着信履歴等の各種情報を１次仮想移動体通信事業者システム１００の情報データベース３１０に格納するため、携帯電話４００の内部メモリのバックアップが容易になる。
【００８８】
また、オンデマンドモードを有効に設定することで、サービスの受益者が携帯電話４００を紛失したときなど、情報流出の恐れがある場合に、ネットワークを通じデータ消去プログラムを使用し、データを消去可能とできることで、個人情報及び電話の利用状況などの流出を早期に防止できる。
【００８９】
また、１次仮想移動体通信事業者から上記２種類のアプリケーションプログラムに加え、携帯情報処理端末に利用履歴を残さないアプリケーションプログラムと、携帯情報処理端末の使用時に適時使用したい情報を取得できるアプリケーションプログラムを提供すれば、携帯情報処理端末に情報を残さず、個人情報を記録することなくセキュリティーが向上されたサービスを提供できる。
【００９０】
尚、携帯電話１台で複数の２次仮想移動体通信事業者のサービスを受ければ、電話帳を複数登録することも可能であり、使用態様ごとに使い分けが可能となる。使用態様の例としては、時間帯ごとに使用したいサービスが異なるときや、ビジネスユースとホームユースとで使用するサービスを変更したいときなどが挙げられる。
【００９１】
次に、第２の適応例を挙げ、実施例を説明する。
【００９２】
第２の適応例は、サービスの受益者が、２次仮想移動体通信事業者の提供するサービスを利用した場合に、保有する携帯電話の画面上に電子広告が表示される例である。
【００９３】
当該サービスを提供する為、２次仮想移動体通信事業者は、１次仮想移動体通信事業者にサービスの提供を依頼し、１次仮想移動体通信事業者が広告の取得と当該サービスに必要なアプリケーションプログラムを準備することとする。本適応例では、携帯電話４００の画面に広告表示させる為、広告表示プログラムの提供を行うこととする。
【００９４】
ここで、広告表示プログラムとは、サービスの受益者に提供される主なサービスを行う主プログラムに付加もしくは一体となって提供され当該アプリケーションプログラムによって、携帯電話４００の電子画面上に主なサービスを利用する前や利用中に広告を表示する機能を備えたアプリケーションプログラムである。
【００９５】
広告を付加したサービスの適応例の説明は、図５に記載した実施例と同様の部分を有する。そこで、同様の部分については簡略して説明する。
【００９６】
図８は、第２の適応例の動作を示すフローチャートである。
【００９７】
１次仮想移動体通信事業者システム１００は、広告制作事業者が作成した広告情報（広告に付加された文字情報と画像の情報など）を情報データベース３１０のサービス提供用領域に登録する（ステップＳ８０１）。
【００９８】
サービスを受ける受益者は、携帯電話４００から、加入者情報を入力する。携帯電話４００は、２次仮想移動体通信事業者システム２００に加入者情報を送信する。（ステップＳ８０２）。
【００９９】
２次仮想移動体通信事業者システム２００は、受信した加入者情報に加え、属性情報をデータベースに記録する(ステップＳ８０３)。
【０１００】
２次仮想移動体通信事業者システム２００は、データベースに記録した加入者情報及び属性情報など各種情報を１次仮想移動体通信事業者システム１００に送信する(ステップＳ８０４)。
【０１０１】
１次仮想移動体通信事業者システム１００のシステムサーバ１１０は、受信した各種情報を情報データベース３１０に登録する(ステップＳ８０５)。
【０１０２】
１次仮想移動体通信事業者システム１００のソフトウェア管理サーバ１２０は、情報データベース３１０に登録された各種情報と広告情報とを用いて、ソフトウェア管理データベース３５０に格納されている広告表示プログラムに広告情報を付加する更新を行う（ステップＳ８０６）。
【０１０３】
サービスを受ける受益者は、２次仮想移動体通信事業者から提供されるサービスに関わるアプリケーションプログラムをダウンロードする要求を行う(ステップＳ８０７)。
【０１０４】
２次仮想移動体通信事業者システム２００は、携帯電話４００からのダウンロード要求を１次仮想移動体通信事業者システム１００に転送する(ステップＳ８０８)。
【０１０５】
１次仮想移動体通信事業者システム１００のシステムサーバ１１０は、携帯電話４００から発せられたダウンロード要求を受信し、当該ダウンロード要求に対して、ソフトウェア管理サーバ１２０にアクセスし、ソフトウェア管理データベース３５０に格納されている要求されたアプリケーションプログラムを選択し送信する（ステップＳ８０９）。
【０１０６】
携帯電話４００は、アプリケーションプログラムを受信し、必要に応じて、展開、解凍、インストール等の動作を行い、アプリケーションプログラムを動作可能とする（ステップＳ８１０）。
【０１０７】
サービスを受ける受益者は、携帯電話４００にダウンロードされたアプリケーションプログラムを実行し、当該サービスに関するプログラムを利用する。この時、広告表示プログラムによって携帯電話４００の画面上に広告が表示される（ステップＳ８１１）。
【０１０８】
携帯電話４００は、広告表示プログラムに従い、当該サービスの提供が終了した後に、広告が適切に表示されたことを示す情報を、１次仮想移動体通信事業者システム１００に通知する（ステップＳ８１２）。
【０１０９】
１次仮想移動体通信事業者システム１００のシステムサーバ１１０は、携帯電話４００から通知された広告が適切に表示されたことを示す情報を受信し、広告の表示回数を記録し、広告の表示単価や回数などに応じた金額を広告会社に請求する。更に、回収した代金に乗率をかけて総配分額を計算し、２次移動体サービス事業者に代金を分配する（ステップＳ８１３）。
【０１１０】
尚、ソフトウェア管理サーバ１２０が行う、広告表示プログラムの更新例を例示し、適応例を詳説する。
【０１１１】
ソフトウェア管理サーバ１２０の制御部１２１は、属性情報及び加入者情報を使用し、２次移動体サービス事業者及びサービスの受益者の好みに合致した広告データを、情報データベース３１０のサービス提供用領域に記録されている広告情報から選択する。
【０１１２】
予めソフトウェア管理データベース３５０に格納されている広告表示プログラムに、受益者の好みに合致した広告データを付加し、ソフトウェア管理データベース３５０に再度格納する。そして、受益者が所持する携帯電話４００に提供可能とする。
【０１１３】
尚、広告を表示させる動作は、上記更新例に限定するものではない。他の広告を表示させる例としては、広告情報そのものをアプリケーションプログラムと同格として扱い、広告表示プログラムとは別に広告情報をダウンロード可能とすることもできる。また、広告情報は、サービスの利用時に自動的にダウンロードされる様にしても良い。
【０１１４】
また、広告情報の文字情報や広告属性（例えば、東京、千葉、柏、松戸などの広告配信エリア、およびパソコン、薄型テレビ、家具、金融商品などの広告カテゴリ）のみを広告表示プログラムと同時に送信し、サービスの利用時に画像情報などを自動的にダウンロードされる様にしても良い。即ち、広告情報の送信タイミングは自由である。
【０１１５】
更に、広告は画像のみではなく、画像と音響を用いて提供しても良いし、音響のみでも良い。
【０１１６】
以上説明したように、本発明の適応例では、携帯電話４００の画面上に広告配信を行うことが可能になり、２次仮想移動体通信事業者システム２００は広告収入を得ることが容易になる。更に、加入者情報を使用した広告配信を行える為、効果的な広告配信を行うことが可能となる。
【０１１７】
加えて、広告収入が得られるため、サービスの提供の対価を低くできる。よって、サービスの受益者は広告を表示することによって、低い対価でサービスを享受できる。
【０１１８】
更に、個人またはグループの趣向に合致した広告を行える為、通話料の低減や無料化なども実現可能である。
【０１１９】
更に、１次仮想移動体通信事業者がまとめて広告代金の回収を可能とするため、２次仮想移動体通信事業者が個別に広告代金の回収を行う手間を省ける。
【０１２０】
次に、第３の適応例を挙げ、実施例を説明する。
【０１２１】
第３の適応例は、第２の適応例と同様に、サービスの受益者が２次仮想移動体通信事業者の提供するサービスを利用した場合に、保有する携帯電話の画面上に電子広告が表示される例である。適応例２との差は、広告情報に広告主の情報を付加し、当該広告主情報を用いて、広告の配信を調整するところにある。
【０１２２】
ここで、広告主情報とは、広告主に対応付けられるＩＤ情報や、広告主の株主構成の情報、広告主が希望する配信先情報などである。
【０１２３】
広告主情報を利用し広告を付加したサービスの適応例の説明は、第２の適応例に記載した動作と同様の部分を有する（図８参照）。そこで、同様の部分については簡略して説明する。
【０１２４】
図９は、第３の適応例の動作を示すフローチャートである。
【０１２５】
１次仮想移動体通信事業者システム１００は、広告制作事業者が作成した広告主情報を含む広告情報を情報データベース３１０のサービス提供用領域に登録する（ステップＳ９０１：図８ステップＳ８０１に該当）。
【０１２６】
ソフトウェア管理サーバ１２０は、情報データベース３１０に登録された各種情報と広告主情報を含む広告情報とを取得する（ステップＳ９０２：図８ステップＳ８０６に該当）。
【０１２７】
ソフトウェア管理サーバ１２０は、ソフトウェア管理データベース３５０に格納されている広告表示プログラムに広告主情報をキーとして広告情報を付加する更新を行う（ステップＳ９０３：図８ステップＳ８０６に該当）。
【０１２８】
広告を付加する方法の例としては、広告主情報のＩＤ情報を利用し、サービスの需要者の携帯電話４００に同じ広告を連続して表示することや、多人数に広告を配信する為に需要者の携帯電話４００に同様な広告を配信しない方法などがある。また、広告主の株主構成の情報を利用し、株主もしくは株主候補に対して効果的な広告を配信する方法などがある。同じく、２次仮想移動体通信事業者の株主構成により広告配信内容を変えることもできる。 更に、広告主が希望する特定の地域や年齢層などに配信先情報を利用し配信することで、効果的な広告を配信する方法などが挙げられる。
【０１２９】
また、１次仮想移動体通信事業者システム１００は、広告主情報を利用し、複数の２次仮想移動体通信事業者のサービスに跨って広告配信することも可能となる。例えば、連続して別々の２次仮想移動体通信事業者のサービスを利用する利用者の携帯電話４００には、同じ広告主からの広告を配信したり、利用するサービスの連続性を判断して、広告を配信したりすれば良い。
【０１３０】
以上説明したように、本発明の第３の適応例では、２次仮想移動体通信事業者の事業者属性並びに広告主情報を考慮して広告を配信する為、広告主の費用対効果を高めることができる。
【０１３１】
同じく、１次仮想移動体事業者システム１００を介して、２次仮想移動体事業者にまたがる広告配信を可能とできるので、広告主の費用対効果を高めることができる。
【０１３２】
以上説明したように、本発明の実施例では、仮想移動体通信事業者と移動体通信事業者とを仲介するシステムを構築することで、２次仮想移動体事業者が容易に仮想移動体事業を運営することを可能とできる。即ち、仮想移動体通信事業者の設立並びに参入を容易にできる。
【０１３３】
更に、携帯情報処理端末の利用者は、２次仮想移動体事業者が容易に仮想移動体事業を運営できることから、提供するサービスに多様性が生じ、当該サービスの多様性を享受可能となる。
【０１３４】
尚、上記実施例では、携帯情報処理端末に携帯電話を用いて説明したが、ＰＨＳ、ＰＤＡ、モバイルパソコンなどでも良い。即ち、携帯情報処理端末は、携帯可能な情報処理器機であって、通信手段を有するものである。更に言えば、通信手段は、携帯情報処理端末に備えたれた通信用ハードウェアを使用せずとも、通信手段を実現するハードウェアを接続することで実現させても良い。例えば、ＰＨＳモジュールや、通信機能を備えたＳＩＭモジュールなどが挙げられる。
【０１３５】
同じく、１次仮想移動体通信事業者システム１００の各種サーバの有する機能を複数に分割して説明したが、各種機能の分割は任意である。換言すれば、複数の機能を一括して表現しても良いし、細分化して表現しても良い。更に言えば、各種機能を複数の機器（サーバ）に分割しても良い。例えば、情報を取得するサーバと情報を解析処理する制御部を分割することも可能である。同じく、複数在るデータベースの共通化や細分化なども可能である。例えば、情報データベース３１０を３つの領域に分割して説明したが、当該領域を細分化しても良いし、統合しても良い。更に言えば、データベースはサーバ内のハードディスク等の補助記憶装置を利用しても良い。
【０１３６】
即ち、実施例の説明を明瞭にする為であり、何ら実施例及び適応例に限定するものではない。
【産業上の利用可能性】
【０１３７】
本発明は、実施例及び適応例に例示した以外にも、加入者属性に共通項があるクローズドユーザグループ（友達サークルや同様の趣味仲間）に情報提供を行うシステムにも適用できる。また、自治体等における特定地域の住民に対する広報システムにも適用できる。
【図面の簡単な説明】
【０１３８】
【図１】通信サービスを概略的な構成で示すブロック図である。
【図２】実際の通信の流れを例示するブロック図である。
【図３】１次仮想移動体通信事業者システム１００を概略的に示したブロック図である。
【図４】情報データベースを模式的に示したブロック図である。
【図５】通信サービス全体の動作を示すフローチャートである。
【図６】アプリケーションプログラムの登録及び更新を示したフローチャートである。
【図７】第１の適応例の動作を示すフローチャートである。
【図８】第２の適応例の動作を示すフローチャートである。
【図９】第３の適応例の動作を示すフローチャートである。
【符号の説明】
【０１３９】
１０    移動体通信事業者システム
１００  １次仮想移動体通信事業者システム（仲介システム）
１１０  システムサーバ
１２０  ソフトウェア管理サーバ
２００  ２次仮想移動体通信事業者システム（サービス提供システム）
３１０  情報データベース
３５０  ソフトウェア管理データベース
４００  携帯電話（携帯情報処理端末）
【図１】
0005013085.tif 000002
【図２】
0005013085.tif 000003
【図３】
0005013085.tif 000004
【図４】
0005013085.tif 000005
【図５】
0005013085.tif 000006
【図６】
0005013085.tif 000007
【図７】
0005013085.tif 000008
【図８】
0005013085.tif 000009
【図９】
0005013085.tif 000010